(57)【要約】【課題】高画質を保ちながら自動感度調整をするテレビジョンカメラ装置の自動感度調整方法を提供する。【解決手段】レンズ１のしきい値であるＦ値を高画質が得られる所定値に設定し、まず画質に影響を及ぼしにくいＮＤフィルタ２の光透過率を変え、次に撮像素子３の感度を変え、次に映像信号処理装置４のゲインを変える順序で自動感度調整を行い、追従しきれなくなった場合には、レンズ１のしきい値であるＦ値を絞りを開いた状態に切替えて、自動感度調整を行うことを特徴とする。【選択図】  図１
2004289348.tif 000002
【特許請求の範囲】
【請求項１】
光量により自動で感度を調整するテレビジョンカメラ装置において、レンズのしきい値であるＦ値を高画質が得られる所定値に設定し、まず画質に影響を及ぼしにくいＮＤフィルタの光透過率を変え、次に撮像素子の感度を変え、次に映像信号処理装置のゲインを変える順序で自動感度調整を行い、追従しきれなくなった場合には、レンズのしきい値であるＦ値を絞りを開いた状態に切替えて、自動感度調整を行うことを特徴とするテレビジョンカメラ装置の自動感度調整方法。
【発明の詳細な説明】
【０００１】
【発明の属する技術分野】
本発明は、光量により感度を自動調整するテレビジョンカメラ装置の自動感度調整方法に関するものである。
【０００２】
【従来の技術】
光量により感度を自動調整するテレビジョンカメラ装置の従来の技術として、輝度信号積分値から測光値を算出して目標値との測光偏差を算出し、この測光偏差が零となるようにアイリスを制御し、測光偏差が零とならない分をゲイン調整信号としてＡＧＣ回路に出力し、撮像信号の増幅率を変更する例がある（例えば、特許文献１参照）。
【０００３】
【特許文献１】
特開平８−２７５０５３号公報（要約）
【０００４】
【発明が解決しようとする課題】
しかしながら、撮像信号の増幅率を変えるので、同じ感度でみると、画質が低下する。
【０００５】
本発明の目的は、高画質を保ちながら自動感度調整をするテレビジョンカメラ装置の自動感度調整方法を提供することにある。
【０００６】
【課題を解決するための手段】
上記目的を達成するため、本発明のテレビジョンカメラ装置の自動感度調整方法は、レンズのしきい値であるＦ値を高画質が得られる所定値（例えばＦ４とＦ８）に設定し、まず画質に影響を及ぼしにくいＮＤフィルタの光透過率を変え、次に撮像素子の感度を変え、次に映像信号処理装置のゲインを変える順序で自動感度調整を行い、追従しきれなくなった場合には、レンズのしきい値であるＦ値を絞りを開いた状態（例えばＦ２．８とＦ５．６）に切替えて、自動感度調整を行うことを特徴とする。
【０００７】
【発明の実施の形態】
図１は、本発明による自動感度調整方法を採用したテレビジョンカメラ装置の実施の形態の構成図である。図１において、レンズ１とＮＤフィルタ２を通って撮像管３に送り込まれた映像信号は、映像信号処理回路４を介してＣＰＵ５の映像信号変換回路６に入力される。映像信号変換回路６により、入力された映像信号をアイリスに変換しかつ出力するアイリスレベルを算出して、レンズ１を制御する。
【０００８】
また、レンズ１からの絞り値の電圧が、ＣＰＵ５のアイリスレベル変換回路７に入力される。アイリスレベル変換回路７により、絞り値の電圧を変換して出力するＩＲＩＳ  ＦＯＬＬＯＷの値を算出し、それをＣＰＵ５のアイリスレベル比較制御回路８に入力する。
【０００９】
ＣＰＵ５のアイリスレベル比較制御回路８において、ＩＲＩＳ  ＦＯＬＬＯＷの値とレンズ１のしきい値であるＦ値９とを比較して、ＩＲＩＳ  ＦＯＬＬＯＷの値がしきい値を越えていれば、感度調整制御回路１０により感度を調整する。映像信号の１フレームごとにこれらを繰り返すことにより自動感度調整を行う。
【００１０】
図２は、レンズ１のＦ値９と解像度の関係を表した図である。図２からわかるように、レンズのＦ値によって解像度は大きく変わってしまう。特にハイビジョンカメラにおいて、この現象は顕著に現れる。そこで、自動感度調整を行う場合にも、このレンズ１のＦ値９を考慮に入れて調整を行う必要がある。
【００１１】
図３は、上記で述べたレンズ１のＦ値９を考慮に入れた、感度調整制御回路１０の中で行う処理をテーブル化した例を示した図である。
【００１２】
まず、自動感度調整モードに入った時は、感度調整制御回路１０は、高感度かつ高画質を求めることができる図３のテーブルＮｏ１の条件を設定して、感度調整を行う。すなわち、感度調整制御回路１０は、テーブルＮｏ１に基づき、レンズ１のＦ値９をＦ４とＦ８にするようにレンズ１を制御する。次にＮＤフィルタ２をＮＤフィルタ自体のもつ光透過率にするようにＮＤフィルタ２を制御する。次に撮像管３の感度を×２となるように撮像管感度制御回路１１を制御する。次に映像信号処理回路４のゲインを−３ｄＢとなるように映像信号処理回路４を制御する。次に撮像管３の間欠時間がＯＦＦとなるように撮像管間欠制御回路１２を制御する。
【００１３】
この条件で、ＩＲＩＳ  ＦＯＬＬＯＷの値が、しきい値であるＦ４の値を越えた場合は、図３のテーブルＮｏ２の条件（ＮＤフィルタ２の光透過率を変える）に切替えて、光量を制御する。
【００１４】
この条件で、ＩＲＩＳ  ＦＯＬＬＯＷの値が、しきい値であるＦ４の値を越えた場合は、図３のテーブルＮｏ３の条件（ＮＤフィルタ２の光透過率を１００％にする）に切替えて、光量を制御する。
【００１５】
この条件で、ＩＲＩＳ  ＦＯＬＬＯＷの値が、しきい値であるＦ４の値を越えた場合は、図３のテーブルＮｏ４の条件（撮像管３の感度を×４にする）に切替えて、感度を制御する。
【００１６】
この条件で、ＩＲＩＳ  ＦＯＬＬＯＷの値が、しきい値であるＦ４の値を越えた場合は、図３のテーブルＮｏ５の条件（撮像管３の感度を×８にする）に切替えて、感度を制御する。
【００１７】
この条件で、ＩＲＩＳ  ＦＯＬＬＯＷの値が、しきい値であるＦ４の値を越えた場合は、図３のテーブルＮｏ６の条件（撮像管３の感度を×１６にする）に切替えて、感度を制御する。
【００１８】
この条件で、ＩＲＩＳ  ＦＯＬＬＯＷの値が、しきい値であるＦ４の値を越えた場合は、図３のテーブルＮｏ７の条件（映像信号処理回路４のゲインを０ｄＢにする）に切替えて、ゲインを制御する。
【００１９】
このように感度調整を行うが、しかし、ＮＤフィルタ、撮像管の感度、映像信号処理回路のゲインによる調整などで追従しきれなくなった場合には、レンズのしきい値であるＦ値を、Ｆ２．８とＦ５．６のように絞りを開いた状態に切替え、テーブルＮｏ８の条件、次にテーブルＮｏ９の条件で、自動感度調整を行う。
【００２０】
また、これでも追従しきれなくなった場合には、レンズのしきい値であるＦ値を、Ｆ２とＦ４のようにさらに絞りを開いた状態に切替え、テーブルＮｏ１０からテーブルＮｏ１４の条件、さらにテーブルＮｏ１５からテーブルＮｏ１７（撮像管の間欠動作時間を変える）に切替えて、自動感度調整を行う。
て自動感度調整を行う。
【００２１】
このように自動感度調整を行うことによって、撮影している感度状態の中で常に高画質を出力することができる。
【００２２】
【発明の効果】
本発明によれば、高画質を保ちながら自動感度調整をするテレビジョンカメラ装置の自動感度調整方法を得ることができる。
【図面の簡単な説明】
【図１】本発明による自動感度調整方法を採用したテレビジョンカメラ装置の実施の形態の構成図である。
【図２】レンズのＦ値と解像度の関係を示す図である。
【図３】図１の感度調整制御回路の中で行う処理をテーブル化した例を示した図である。
【符号の説明】
１：レンズ、２：ＮＤフィルタ、３：撮像管、４：映像信号処理回路、５：ＣＰＵ、６：映像信号変換回路、７：アイリスレベル変換回路、８：アイリスレベル比較制御回路、９：レンズのしきい値であるＦ値、１０：感度調整制御回路、１１：撮像管感度制御回路、１２：撮像管間欠制御回路。
【図１】
2004289348.tif 000003
【図２】
2004289348.tif 000004
【図３】
2004289348.tif 000005